(57)【特許請求の範囲】
【請求項１】
ワイヤレス通信システムにおけるユーザ機器（ＵＥ）通信を管理する方法であって、
ネットワークエンティティにおいて、ダウンリンクチャネル上での１つまたは複数のＵＥへの送信のためのユーザデータを取得することと、
前記１つまたは複数のＵＥおよび前記ユーザデータのうちの少なくとも１つに関連する１つまたは複数の配信制約を決定することと、
前記１つまたは複数の配信制約と、送信のための前記ユーザデータとに基づいて、前記ユーザデータの送信のためにダウンリンクチャネルリソースを割り振るためのデータ構造を生成すること、ここにおいて、前記データ構造は、
シンボル内で、周波数帯域幅がそれに分割される複数のリソース要素ブロック、ここにおいて、前記シンボルは、ダウンリンクサブフレーム中の複数のシンボルのうちの１つであり、１つの送信時間間隔（ＴＴＩ）であり、前記複数のリソース要素ブロックのうちのリソース要素ブロックは、制御領域およびデータ領域の両方を含み、前記リソース要素ブロックは、前記複数のリソース要素ブロックの別のリソース要素ブロックと同じ数のリソース要素を含む、と、
前記ダウンリンクチャネルによってサービスされる前記１つまたは複数のＵＥのうちの１つのＵＥのための、前記制御領域内にある、ダウンリンクリソース許可と
を備える、と、
前記データ構造の前記ダウンリンクリソース許可に従って、前記ＵＥに前記ユーザデータを送信することと
を備える、方法。
【請求項２】
前記１つまたは複数のＵＥに前記データ構造を送信することをさらに備える、
請求項１に記載の方法。
【請求項３】
前記ユーザデータの再送信のためのＨＡＲＱプロセスを維持することをさらに備え、前記ＨＡＲＱプロセスは、１つのサブフレームより短い再送時間をもつ、
請求項１に記載の方法。
【請求項４】
８つのシンボル内で前記ユーザデータを再送信すべきなのかを決定することをさらに備える、
請求項１に記載の方法。
【請求項５】
送信のための前記ユーザデータを取得することは、データフローを介して第２のネットワークエンティティから、またはネットワークエンティティに関連する送信データキューから、前記ユーザデータを取得することを備える、
請求項１に記載の方法。
【請求項６】
前記ダウンリンクリソース許可は、前記複数のリソース要素ブロックのリソースブロック内の、前記データ領域がある、位置のインジケーションを含む、
請求項１に記載の方法。
【請求項７】
前記データ構造は、前記ＵＥのための、前記制御領域中にある、アップリンクリソース許可をさらに備える、
請求項１に記載の方法。
【請求項８】
ダウンリンクリソース許可は、前記ＵＥに前記少なくとも１つのリソース要素ブロックの前記制御領域外の任意のリソース要素を割り振る、
請求項１に記載の方法。
【請求項９】
前記ダウンリンクリソース許可は、少なくとも１つのさらなるリソース要素ブロックのリソース要素を前記ＵＥに割り振る、
請求項１に記載の方法。
【請求項１０】
前記データ構造は、前記ダウンリンクサブフレームの少なくとも１つのさらなるシンボル内にレガシー制御領域をさらに備え、前記レガシー制御領域は、レガシーＬＴＥ制御およびデータチャネルによる少なくとも１つのリソース要素割り振りを含む、
請求項９に記載の方法。
【請求項１１】
請求項１乃至１０のいずれか１項に従う方法を実行するための命令を備えるコンピュータプログラム。
【請求項１２】
ワイヤレス通信システムにおけるユーザ機器（ＵＥ）通信を管理するための装置であって、
ネットワークエンティティにおいて、ダウンリンクチャネル上での１つまたは複数のＵＥへの送信のためのユーザデータを取得するための手段と、
前記１つまたは複数のＵＥおよび前記ユーザデータのうちの少なくとも１つに関連する１つまたは複数の配信制約を決定するための手段と、
前記１つまたは複数の配信制約と、送信のための前記ユーザデータとに基づいて、前記ユーザデータの送信のためにダウンリンクチャネルリソースを割り振るためのデータ構造を生成するための手段、ここにおいて、前記データ構造は、
シンボル内で、周波数帯域幅がそれに分割される複数のリソース要素ブロック、ここにおいて、前記シンボルは、ダウンリンクサブフレーム中の複数のシンボルのうちの１つであり、１つの送信時間間隔（ＴＴＩ）であり、前記複数のリソース要素ブロックのうちのリソース要素ブロックは、制御領域およびデータ領域の両方を含み、前記リソース要素ブロックは、前記複数のリソース要素ブロックの別のリソース要素ブロックと同じ数のリソース要素を含む、と、
前記ダウンリンクチャネルによってサービスされる前記１つまたは複数のＵＥのうちの１つのＵＥのための、前記制御領域内にある、ダウンリンクリソース許可と
を備える、と、
前記データ構造の前記ダウンリンクリソース許可に従って、前記ＵＥに前記ユーザデータを送信するための手段と
を備える、装置。
【請求項１３】
前記１つまたは複数のＵＥに前記データ構造を送信するための手段をさらに備える、
請求項１２に記載の装置。
【請求項１４】
前記取得するための手段は、データフローを介して第２のネットワークエンティティから、または前記ネットワークエンティティに関連する送信データキューから、前記ユーザデータを取得するための手段をさらに備える、
請求項１２に記載の装置。
【請求項１５】
前記ダウンリンクリソース許可は、前記複数のリソース要素ブロックのリソースブロック内の、前記データ領域がある、位置のインジケーションを含む、
請求項１２に記載の装置。
【発明の詳細な説明】
【関連出願の相互参照】
【０００１】
[0001]本特許出願は、その全体が参照により本明細書に明確に組み込まれる、２０１４年９月２２日に出願された「ULTRA-LOW LATENCY LTE DOWNLINK Transmission methods」と題する仮出願第６２／０５３，７４０号、および２０１５年９月１８日に出願された「ULTRA-LOW LATENCY LTE DOWNLINK COMMUNICATIONS」と題する米国特許出願第１４／８５８，９６０号の優先権を主張する。
【技術分野】
【０００２】
[0002]本開示は、一般に通信システムに関し、より詳細には、ワイヤレス通信システムにおけるユーザ機器との通信を管理するためのダウンリンクフレーム構造およびダウンリンク送信の方法に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートすることと、コストを下げることと、サービスを改善することと、新しいスペクトルを利用することと、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することとを行うように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]レガシーＬＴＥを採用するワイヤレス通信システムでは、特定のｅノードＢによってサービスされる複数のＵＥが、物理ダウンリンク共有チャネル（ＰＤＳＣＨ）と呼ばれるダウンリンクチャネル上でｅノードＢからデータを受信し得る。さらに、ＰＤＳＣＨに関連する制御情報が、物理ダウンリンク制御チャネル（ＰＤＣＣＨ）を介してｅノードＢによってＵＥに送信され得る。ＰＤＣＣＨ中に含まれる制御情報は、ＬＴＥサブフレームのための１つまたは複数のアップリンクまたはダウンリンクリソース要素（ＲＥ）許可を含み得る。レガシーＬＴＥでは、各ＬＴＥサブフレームは、制御情報がＰＤＳＣＨを介してその間に送信される制御領域と、データがＵＥのうちの１つまたは複数にその間に送信されるデータ領域とを含む。
【０００６】
[0006]しかしながら、レガシーＬＴＥシステムでは、各ＵＥは、ＵＥに関係する制御情報が存在するかどうかを決定するために、制御領域内の多数の領域を探索することが必要とされ得る。詳細には、たとえば、ＵＥは、サブフレームの制御領域内のいくつかの領域を通知され得、ＵＥの対応するＰＤＣＣＨのロケーションを与えられないことがある。代わりに、ＵＥは、あらゆるサブフレーム中のＰＤＣＣＨ候補のセットをモニタすることによって、ＵＥのＰＤＣＣＨの位置を特定し得る。そのような復号は、ブラインド復号と呼ばれることがある。
【０００７】
[0007]しかしながら、ＰＤＣＣＨのブラインド復号は、無線ネットワーク一時識別子がＵＥに知られていないことがあるので、非効率的であることがある。加えて、ＵＥ固有ＰＤＣＣＨの位置を特定するために大部分（たとえば、ほぼすべての制御チャネル要素（ＣＣＥ））を復号することにより、ワイヤレス通信品質が劣化し得る。たとえば、特に低レイテンシ通信を必要とするＵＥ適用例では、多数の可能なＰＤＣＣＨロケーションの場合、ブラインド探索は、著しいシステム負担であり、ＵＥにおける過大な電力消費と、システムにおけるより低い最大データ通信レートとにつながり得る。たとえば、レガシーＬＴＥシステムでは、各ＵＥは、各サブフレームについて最高４４回（またはそれ以上）のブラインド復号を実行することが必要とされ得る。しかしながら、サブフレームの各シンボルに関連する送信時間間隔（ＴＴＩ）が減少するとき、個々のＵＥは、ＰＤＳＣＨ上のデータを受信および復号するために必要な時間間隔内でこれらの４４回またはそれ以上のブラインド復号に関連する動作を実行するための処理リソースを単に有しないことがあるので、このレガシー構造に基づいてレイテンシを低減しようとする試みは、困難であり得る。
【０００８】
[0008]したがって、ダウンリンクフレーム構造およびダウンリンク送信方法の改善が望まれる。
【発明の概要】
【０００９】
[0009]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【００１０】
[0010]１つまたは複数の態様およびそれの対応する開示に従って、様々な技法について、ワイヤレス通信システムにおけるユーザ機器通信を管理するための例示的なデータ構造（たとえば、フレーム構造）、方法、および装置に関して説明する。
【００１１】
[0011]いくつかの例では、本開示の例示的なデータ構造は、ダウンリンクサブフレーム中の送信時間間隔を定義するシンボル内で、ダウンリンクチャネルの周波数帯域幅がそれに分割される１つまたは複数のリソース要素ブロックを含み得る。さらに、本データ構造は、１つまたは複数のリソース要素ブロックのうちの少なくとも１つのリソース要素ブロック内の制御領域およびデータ領域を含み得る。加えて、本データ構造は、ダウンリンクチャネルによってサービスされるユーザ機器のための、制御領域内にあるダウンリンクリソース許可を含み得る。
【００１２】
[0012]さらに、本開示は、ワイヤレス通信システムにおけるユーザ機器通信を管理するための例示的な方法を提示する。例示的な方法は、ネットワークエンティティにおいて、ダウンリンクチャネル上での１つまたは複数のＵＥへの送信のためのユーザデータを取得することを含み得る。加えて、例示的な方法は、ユーザデータまたは１つまたは複数のＵＥのうちの少なくとも１つに関連する１つまたは複数の配信制約を決定することを含み得る。さらに、例示的な方法は、送信のためのユーザデータと、１つまたは複数の配信制約とに基づいて、ユーザデータの送信のためにダウンリンクチャネルリソースを割り振るためのデータ構造を生成することを含み得る。一態様では、そのようなデータ構造は、ダウンリンクサブフレーム中の送信時間間隔を定義するシンボル内で、ダウンリンクチャネルの周波数帯域幅がそれに分割される１つまたは複数のリソース要素ブロックを含み得る。さらに、データ構造は、１つまたは複数のリソース要素ブロックのうちの少なくとも１つのリソース要素ブロック内の制御領域およびデータ領域を含み得る。加えて、データ構造は、ダウンリンクチャネルによってサービスされるユーザ機器のための、制御領域内にあるダウンリンクリソース許可を含み得る。
【００１３】
[0013]追加の態様では、ワイヤレス通信システムにおけるユーザ機器通信を管理するためのコンピュータ実行可能コードを記憶する例示的な非一時的コンピュータ可読媒体が提示される。いくつかの例では、コンピュータ実行可能コードは、ネットワークエンティティにおいて、ダウンリンクチャネル上での１つまたは複数のＵＥへの送信のためのユーザデータを取得するためのコードを含み得る。さらに、例示的なコンピュータ実行可能コードは、ユーザデータまたは１つまたは複数のＵＥのうちの少なくとも１つに関連する１つまたは複数の配信制約を決定するためのコードを含み得る。その上、コンピュータ実行可能コードは、送信のためのユーザデータと、１つまたは複数の配信制約とに基づいて、ユーザデータの送信のためにダウンリンクチャネルリソースを割り振るためのデータ構造を生成するためのコードを含み得る。一態様では、そのようなデータ構造は、ダウンリンクサブフレーム中の送信時間間隔を定義するシンボル内で、ダウンリンクチャネルの周波数帯域幅がそれに分割される１つまたは複数のリソース要素ブロックを含み得る。さらに、データ構造は、１つまたは複数のリソース要素ブロックのうちの少なくとも１つのリソース要素ブロック内の制御領域およびデータ領域を含み得る。加えて、データ構造は、ダウンリンクチャネルによってサービスされるユーザ機器のための、制御領域内にあるダウンリンクリソース許可を含み得る。
【００１４】
[0014]さらなる態様では、本開示は、ネットワークエンティティにおいて、ダウンリンクチャネル上での１つまたは複数のＵＥへの送信のためのユーザデータを取得するための手段を含み得る、ワイヤレス通信システムにおけるユーザ機器通信を管理するための例示的な装置について説明する。さらに、例示的な装置は、ユーザデータまたは１つまたは複数のＵＥのうちの少なくとも１つに関連する１つまたは複数の配信制約を決定するための手段と、送信のためのユーザデータと、１つまたは複数の配信制約とに基づいて、ユーザデータの送信のためにダウンリンクチャネルリソースを割り振るためのデータ構造を生成するための手段とを含み得る。いくつかの例では、そのようなデータ構造は、ダウンリンクサブフレーム中の送信時間間隔を定義するシンボル内で、ダウンリンクチャネルの周波数帯域幅がそれに分割される１つまたは複数のリソース要素ブロックを含み得る。さらに、データ構造は、１つまたは複数のリソース要素ブロックのうちの少なくとも１つのリソース要素ブロック内の制御領域およびデータ領域を含み得る。加えて、データ構造は、ダウンリンクチャネルによってサービスされるユーザ機器のための、制御領域内にあるダウンリンクリソース許可を含み得る。
【００１５】
[0015]さらなる態様では、本開示は、ＵＥにおいて、ダウンリンクチャネル上でネットワークエンティティによって送信されたデータ構造を受信することを含み得る、ワイヤレス通信の方法について説明する。そのようなデータ構造は、ダウンリンクサブフレーム中のＴＴＩを定義するシンボル内で、周波数帯域幅がそれに分割される１つまたは複数のリソース要素ブロックと、１つまたは複数のリソース要素ブロックのうちの少なくとも１つのリソースブロック要素内の制御領域およびデータ領域と、制御領域内にある、ダウンリンクリソース許可を含む制御情報とを含み得る。さらに、例示的な方法は、制御情報がＵＥのためのものであるかどうかを決定するために、制御領域に対して検査を実行することと、検査に合格した場合、制御情報に基づいて、データ領域の位置を決定することとを含み得る。さらに、例示的な方法は、決定された位置において、データ領域中のＵＥのためのユーザデータを受信することを含み得る。
【００１６】
[0016]加えて、本開示は、ワイヤレス通信のために構成された装置を提示し、本装置は、ＵＥにおいて、ダウンリンクチャネル上でネットワークエンティティによって送信されたデータ構造を受信するように構成された受信構成要素を含む。そのようなデータ構造は、ダウンリンクサブフレーム中のＴＴＩを定義するシンボル内で、周波数帯域幅がそれに分割される１つまたは複数のリソース要素ブロックと、１つまたは複数のリソース要素ブロックのうちの少なくとも１つのリソース要素ブロック内の制御領域およびデータ領域と、制御領域内にある、ダウンリンクリソース許可を含む制御情報とを含み得る。加えて、本装置は、制御情報がＵＥのためのものであるかどうかを決定するために、制御領域に対して検査を実行するように構成された制御領域検査構成要素と、検査に合格した場合、制御情報に基づいて、データ領域の位置を決定するように構成されたデータ領域位置決定構成要素とを含み得る。さらに、受信構成要素は、決定された位置において、データ領域中のＵＥのためのユーザデータを受信するようにさらに構成され得る。
【００１７】
[0017]さらには、本開示は、コンピュータ実行可能コードを記憶する非一時的コンピュータ可読媒体について説明し、コンピュータ実行可能コードは、ＵＥにおいて、ダウンリンクチャネル上でネットワークエンティティによって送信されたデータ構造を受信するためのコードを含む。そのようなデータ構造は、ダウンリンクサブフレーム中のＴＴＩを定義するシンボル内で、周波数帯域幅がそれに分割される１つまたは複数のリソース要素ブロックと、１つまたは複数のリソース要素ブロックのうちの少なくとも１つのリソース要素ブロック内の制御領域およびデータ領域と、制御領域内にある、ダウンリンクリソース許可を含む制御情報とを含み得る。さらに、コンピュータ実行可能コードは、制御情報がＵＥのためのものであるかどうかを決定するために、制御領域に対して検査を実行するためのコードと、検査に合格した場合、制御情報に基づいて、データ領域の位置を決定するためのコードとを含み得る。さらに、コンピュータ実行可能コードは、決定された位置において、データ領域中のＵＥのためのユーザデータを受信するためのコードを含み得る。
【００１８】
[0018]上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００１９】
【図１】本開示の一態様による、電気通信システムの一例を概念的に示すブロック図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】本開示による、ダウンリンク帯域幅割振りのための例示的なデータ構造を示す図。
【図８】本開示による、超低レイテンシ（ＵＬＬ：ultra low latency）ＬＴＥシステムにおけるシンボルのための例示的なデータ構造を示す図。
【図９】本開示による、ＵＬＬ  ＬＴＥシステムにおけるシンボルのための例示的なデータ構造を示す図。
【図１０】ワイヤレス通信の方法のフローチャート。
【図１１】本開示の態様を実装するように構成されたスケジューリング構成要素を示す図。
【図１２】例示的な装置中の異なるモジュール／手段／構成要素間のデータフローを示す概念データフロー図。
【図１３】処理システムを採用する装置のためのハードウェア実装形態の一例を示す図。
【図１４】ワイヤレス通信の方法のフローチャート。
【図１５】本開示の態様を実装するように構成されたダウンリンク管理構成要素を示す図。
【図１６】例示的な装置中の異なるモジュール／手段／構成要素間のデータフローを示す概念データフロー図。
【図１７】処理システムを採用する装置のためのハードウェア実装形態の一例を示す図。
【発明を実施するための形態】
【００２０】
[0036]添付の図面に関して以下に記載する発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を曖昧にするのを回避するために、よく知られている構造および構成要素をブロック図の形態で示す。
【００２１】
[0037]次に、様々な装置および方法に関して電気通信システムのいくつかの態様を提示する。これらの装置および方法が、以下の発明を実施するための形態において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課せられる設計制約に依存する。
【００２２】
[0038]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２３】
[0039]したがって、１つまたは複数の態様では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る任意の他の媒体であることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００２４】
[0040]本開示は、特に、レガシーダウンリンクデータ構造およびダウンリンク送信方法と比較してレイテンシを低減するために、１つまたは複数のＵＥへのダウンリンク通信を管理するための例示的なデータ構造および送信方法を提示する。たとえば、そのようなデータ構造は、シンボル内で、ダウンリンクチャネルの周波数帯域幅がそれに分割される１つまたは複数のリソース要素ブロックを含み得る。したがって、いくつかの非限定的な例では、単一のシンボルが、ダウンリンク送信のためのＴＴＩを定義し得る。さらに、リソース要素ブロックのいずれかが、制御領域および／またはデータ領域を含み得る。さらに、例示的なデータ構造が、ＵＬＬシステムにおいて利用され得るので、リソース要素ブロックの制御領域は、ＵＬＬ  ＰＤＣＣＨ（ｕＰＤＣＣＨ）に関連する制御情報を含んでいることがある。同様に、リソース要素ブロックのデータ領域は、ＵＬＬ  ＰＤＳＣＨ（ｕＰＤＳＣＨ）に関連するデータを含んでいることがある。一態様では、ＵＬＬシステムは、（たとえば、１つのサブフレームまたは１つのスロットのＴＴＩを有する）レガシーＬＴＥシステムに対して低減されたＴＴＩ（たとえば、場合によっては、１つのシンボル）によって特徴づけられ得る。さらに、一態様では、ＵＬＬシステムは、たとえば、ｕＰＤＣＣＨおよび／またはｕＰＤＳＣＨに関連し得る。
【００２５】
[0041]さらなる例示的な態様では、制御領域は、ネットワークエンティティ（たとえば、ｅノードＢ）によってサービスされる１つまたは複数のＵＥに関連する１つまたは複数のリソース許可を含み得る。そのようなリソース許可は、１つまたは複数のダウンリンクリソース許可、および／または１つまたは複数のアップリンクリソース許可を含み得る。本開示の１つの非限定的な態様によれば、リソース許可がダウンリンクリソース許可である場合、リソース要素ブロックのデータ領域に対応するダウンリンク許可は、同じリソース要素ブロック中に含まれている。さらに、リソース許可が、特定のＵＥ（またはＵＥに関連するアプリケーション）のためのダウンリンクリソース許可である場合、リソース許可は、ダウンリンク許可があるデータ領域内の位置のインジケーションを含み得る。いくつかの例では、そのインジケーションが、データ領域の開始を識別するなどの場合、このインジケーションは、リソース要素ブロック内の、ダウンリンク許可が開始する位置を、ダウンリンクリソース許可を受信するＵＥがそれから暗号解読し（decipher）得るアグリゲーションレベルの関数であり得る。さらに、リソース許可は、リソース許可が、シンボル中に含まれる１つまたは複数の追加のリソース要素ブロックを含むべきであることを示し得る。
【００２６】
[0042]追加の態様では、制御領域は、制御領域中に含まれている許可を受信するＵＥに関連するアグリゲーションレベルに依存するリソース要素の数を含み得る。ｅノードＢによってサービスされる１つまたは複数のＵＥのアグリゲーションレベルに基づいて、リソース許可を整合させることによって、データ構造は、ｕＰＤＣＣＨリソース上でＵＥによって実行されるブラインド復号の回数を限定することによって、システム移植複雑さを低減する。
【００２７】
[0043]さらに、本開示の例示的なデータ構造は、対応するＵＬＬ  ＬＴＥチャネル（たとえば、ｕＰＤＣＣＨ、ｕＰＤＳＣＨ）のための本開示によって導入されるリソース要素ブロック固有チャネル割振り態様と一緒に、レガシーＬＴＥチャネル（たとえば、ＰＤＣＣＨ、ＰＤＳＣＨ）のフレームスケジューリングをさらに実装するように構成される。このようにして、本明細書で説明するデータ構造は、ＵＬＬ  ＬＴＥおよび／またはレガシーＬＴＥを利用するように構成されたＵＥまたは特定のＵＥ適用例のために実装され得る。
【００２８】
[0044]本開示の追加の態様では、本明細書で開示するデータ構造のうちの１つまたは複数を生成することによって、ダウンリンクスケジューリングを管理するように構成され得る、ネットワークエンティティ（たとえば、ｅノードＢ）が提示される。さらに、ネットワークエンティティは、１つまたは複数のＵＥへの送信のためのデータを取得するように構成され得、１つまたは複数のＵＥに関連するデータおよび／または配信制約に基づいて、データ構造を使用してデータの送信をスケジュールし得る。
【００２９】
[0045]さらに、本開示の態様によれば、システムは、レガシー動作ならびにＵＬＬ  ＬＴＥ動作の両方のためのデュアルチャネル状態情報（ＣＳＩ）フィードバックチャネルを維持し得る。さらに、システムは、本明細書で導入される同じタイプのｕＰＤＣＣＨ／ｕＰＤＳＣＨフレームワークを用いてクロスキャリアスケジューリングをサポートする能力を有し得る。
【００３０】
[0046]最初に図１を参照すると、図は、本開示の一態様による、ワイヤレス通信システム１００の一例を示す。ワイヤレス通信システム１００は、複数のアクセスポイント（たとえば、基地局、ｅＮＢ、またはＷＬＡＮアクセスポイント）１０５、いくつかのユーザ機器（ＵＥ）１１５、およびコアネットワーク１３０を含む。アクセスポイント１０５は、超低レイテンシ（ＵＬＬ）データ構造、たとえば、限定はしないが、１つのシンボルのＴＴＩを含み得る、データ構造７００（図７）、データ構造８００（図８）、またはデータ構造９００（図９）を使用して、制御情報およびユーザデータの、いくつかのＵＥ１１５との通信を迅速化するように構成されたスケジューリング構成要素６０２を含み得る。たとえば、ＵＬＬデータ構造は、それぞれ、ｕＰＤＣＣＨおよびｕＰＤＳＣＨの一方または両方を含み得る。同様に、ＵＥ１１５のうちの１つまたは複数は、ＵＬＬデータ構造を使用して、受信、復号、および動作するように構成されたダウンリンク管理構成要素６６１を含み得る。アクセスポイント１０５のうちのいくつかは、様々な例では、コアネットワーク１３０またはいくつかのアクセスポイント１０５（たとえば、基地局もしくはｅＮＢ）の一部であり得る、基地局コントローラ（図示せず）の制御下でＵＥ１１５と通信し得る。アクセスポイント１０５は、バックホールリンク１３２を通してコアネットワーク１３０と制御情報および／またはユーザデータを通信し得る。例では、アクセスポイント１０５は、ワイヤードまたはワイヤレス通信リンクであり得るバックホールリンク１３４を介して互いと直接または間接的にのいずれかで通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３１】
[0047]いくつかの例では、ワイヤレス通信システム１００の少なくとも一部分は、ＵＥ１１５のうちの１つまたは複数およびアクセスポイント１０５のうちの１つまたは複数が、別の階層レイヤに関して低減されたレイテンシを有する階層レイヤ上の送信をサポートするように構成され得る、複数の階層レイヤ上で動作するように構成され得る。いくつかの例では、ハイブリッドＵＥ１１５−ａは、第１のサブフレームタイプを用いた第１のレイヤ送信をサポートする第１の階層レイヤと、第２のサブフレームタイプを用いた第２のレイヤ送信をサポートする第２の階層レイヤの両方の上で、アクセスポイント１０５−ａと通信し得る。たとえば、アクセスポイント１０５−ａは、第１のサブフレームタイプのサブフレームと時分割複信された第２のサブフレームタイプのサブフレームを送信し得る。
【００３２】
[0048]いくつかの例では、ハイブリッドＵＥ１１５−ａは、たとえば、ＨＡＲＱ方式を通して送信についてのＡＣＫ／ＮＡＣＫを与えることによって、送信の受信を確認応答し得る。第１の階層レイヤにおける送信についてのハイブリッドＵＥ１１５−ａからの確認応答は、いくつかの例では、送信が受信されたサブフレームに続くあらかじめ定義された数のサブフレームの後に与えられ得る。ハイブリッドＵＥ１１５−ａは、第２の階層レイヤにおいて動作するとき、例では、送信が受信されたサブフレームと同じサブフレーム中で受信を確認応答し得る。ＡＣＫ／ＮＡＣＫを送信し、再送信を受信するために必要とされる時間は、ラウンドトリップ時間（ＲＴＴ）と呼ばれることがあり、したがって、第２のサブフレームタイプのサブフレームは、第１のサブフレームタイプのサブフレームのためのＲＴＴよりも短い第２のＲＴＴを有し得る。
【００３３】
[0049]他の例では、第２のレイヤＵＥ１１５−ｂは、第２の階層レイヤのみの上でアクセスポイント１０５−ｂと通信し得る。したがって、ハイブリッドＵＥ１１５−ａおよび第２のレイヤＵＥ１１５−ｂは、第２の階層レイヤ上で通信し得るＵＥ１１５の第２のクラスに属し得、レガシーＵＥ１１５は、第１の階層レイヤのみの上で通信し得るＵＥ１１５の第１のクラスに属し得る。アクセスポイント１０５−ｂおよびＵＥ１１５−ｂは、第２のサブフレームタイプのサブフレームの送信を通して第２の階層レイヤ上で通信し得る。アクセスポイント１０５−ｂは、もっぱら第２のサブフレームタイプのサブフレームを送信し得るか、または第２のサブフレームタイプのサブフレームと時分割多重化された第１の階層レイヤ上で、第１のサブフレームタイプの１つまたは複数サブフレームを送信し得る。第２のレイヤＵＥ１１５−ｂは、アクセスポイント１０５−ｂが第１のサブフレームタイプのサブフレームを送信する場合、第１のサブフレームタイプのそのようなサブフレームを無視し得る。したがって、第２のレイヤＵＥ１１５−ｂは、送信が受信されたサブフレームと同じサブフレーム中で送信の受信を確認応答し得る。したがって、第２のレイヤＵＥ１１５−ｂは、第１の階層レイヤ上で動作するＵＥ１１５と比較して低減されたレイテンシで動作し得る。
【００３４】
[0050]アクセスポイント１０５は、１つまたは複数のアクセスポイントアンテナを介してＵＥ１１５とワイヤレス通信し得る。アクセスポイント１０５サイトの各々は、それぞれのカバレージエリア１１０に通信カバレージを与え得る。いくつかの例では、アクセスポイント１０５は、基地トランシーバ局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術など、異なる無線技術を利用し得る。アクセスポイント１０５は同じまたは異なるアクセスネットワークまたは事業者展開に関連し得る。同じまたは異なるタイプのアクセスポイント１０５のカバレージエリアを含み、同じまたは異なる無線技術を利用し、および／あるいは同じまたは異なるアクセスネットワークに属する、異なるアクセスポイント１０５のカバレージエリアは重複し得る。
【００３５】
[0051]ＬＴＥ／ＬＴＥ−Ａおよび／またはＵＬＬ  ＬＴＥネットワーク通信システムでは、発展型ノードＢ（ｅノードＢまたはｅＮＢ）という用語は、概して、アクセスポイント１０５を表すために使用され得る。ワイヤレス通信システム１００は、異なるタイプのアクセスポイントが様々な地理的領域にカバレージを与える、異種ＬＴＥ／ＬＴＥ−Ａ／ＵＬＬ  ＬＴＥネットワークであり得る。たとえば、各アクセスポイント１０５は、通信カバレージをマクロセル、ピコセル、フェムトセル、および／または他のタイプのセルに与え得る。ピコセル、フェムトセル、および／または他のタイプのセルなどのスモールセルは低電力ノードまたはＬＰＮを含み得る。マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、概して、比較的より小さい地理的エリアをカバーすることになり、たとえば、ネットワークプロバイダのサービスに加入しているＵＥ１１５による無制限アクセスを可能にし得、無制限アクセスに加えて、スモールセルとの関連を有するＵＥ１１５（たとえば、限定加入者グループ（ＣＳＧ：closed subscriber group）中のＵＥ、自宅内のユーザのためのＵＥなど）による制限アクセスをも与え得る。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートし得る。
【００３６】
[0052]コアネットワーク１３０は、バックホール１３２（たとえば、Ｓ１インターフェースなど）を介してｅＮＢまたは他のアクセスポイント１０５と通信し得る。アクセスポイント１０５はまた、たとえば、バックホールリンク１３４（たとえば、Ｘ２インターフェースなど）を介しておよび／またはバックホールリンク１３２を介して（たとえば、コアネットワーク１３０を通して）直接または間接的に、互いと通信し得る。ワイヤレス通信システム１００は同期動作または非同期動作をサポートし得る。同期動作の場合、アクセスポイント１０５は同様のフレームタイミングを有し得、異なるアクセスポイント１０５からの送信は近似的に時間的に整合され得る。非同期動作の場合、アクセスポイント１０５は異なるフレームタイミングを有し得、異なるアクセスポイント１０５からの送信は時間的に整合されないことがある。さらに、第１の階層レイヤおよび第２の階層レイヤにおける送信は、アクセスポイント１０５の間で同期されることもされないこともある。本明細書で説明する技法は、同期動作または非同期動作のいずれかのために使用され得る。
【００３７】
[0053]ＵＥ１１５はワイヤレス通信システム１００全体にわたって分散され、各ＵＥ１１５は固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などの装着可能なアイテム、ワイヤレスローカルループ（ＷＬＬ）局などであり得る。ＵＥ１１５は、マクロｅノードＢ、スモールセルｅノードＢ、リレーなどと通信することが可能であり得る。ＵＥ１１５はまた、セルラーまたは他のＷＷＡＮアクセスネットワーク、あるいはＷＬＡＮアクセスネットワークなど、異なるアクセスネットワーク上で通信することが可能であり得る。
【００３８】
[0054]ワイヤレス通信システム１００において示されている通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、いくつかの例では通信リンク１２５において多重化され得る、各階層レイヤの送信を搬送し得る。ＵＥ１１５は、たとえば、多入力多出力（ＭＩＭＯ：Multiple Input Multiple Output）、キャリアアグリゲーション（ＣＡ：carrier aggregation）、多地点協調（ＣｏＭＰ：Coordinated Multi-Point）、または他の方式を通して、複数のアクセスポイント１０５と共同的に通信するように構成され得る。ＭＩＭＯ技法は、複数のデータストリームを送信するために、アクセスポイント１０５上の複数のアンテナおよび／またはＵＥ１１５上の複数のアンテナを使用する。キャリアアグリゲーションは、データ送信のための同じまたは異なるサービングセル上の２つまたはそれ以上のコンポーネントキャリアを利用し得る。ＣｏＭＰは、ＵＥ１１５のための全体的な送信品質を改善するために、ならびにネットワークおよびスペクトル利用を増加させる、いくつかのアクセスポイント１０５による送信および受信の協調のための技法を含み得る。
【００３９】
[0055]上述のように、いくつかの例では、アクセスポイント１０５およびＵＥ１１５は、複数のキャリア上で送信するために、キャリアアグリゲーションを利用し得る。いくつかの例では、アクセスポイント１０５およびＵＥ１１５は、２つまたはそれ以上の別個のキャリアを使用して、第１のサブフレームタイプを各々が有する１つまたは複数のサブフレームを、フレーム内で第１の階層レイヤにおいてコンカレントに送信し得る。各キャリアは、たとえば、２０ＭＨｚの帯域幅を有し得るが、他の帯域幅が利用され得る。ハイブリッドＵＥ１１５−ａおよび／または第２のレイヤＵＥ１１５−ｂは、いくつかの例では、別個のキャリアのうちの１つまたは複数の帯域幅よりも大きい帯域幅を有する単一のキャリアを利用して、第２の階層レイヤにおいて１つまたは複数のサブフレームを受信および／または送信し得る。たとえば、４つの別個の２０ＭＨｚキャリアが第１の階層レイヤにおいてキャリアアグリゲーション方式で使用される場合、単一の８０ＭＨｚキャリアが、第２の階層レイヤにおいて使用され得る。８０ＭＨｚキャリアは、４つの２０ＭＨｚキャリアのうちの１つまたは複数によって使用される無線周波数スペクトルと少なくとも部分的に重複する無線周波数スペクトルの一部分を占有し得る。いくつかの例では、第２の階層レイヤタイプのためのスケーラブル帯域幅は、さらに拡張されたデータレートを与えるために、上記で説明したようなより短いＲＴＴを与えるための組み合わせられた技法であり得る。
【００４０】
[0056]ワイヤレス通信システム１００によって採用され得る異なる動作モードの各々は、周波数分割複信（ＦＤＤ）または時分割複信（ＴＤＤ）に従って動作し得る。いくつかの例では、異なる階層レイヤは、異なるＴＤＤまたはＦＤＤモードに従って動作し得る。たとえば、第１の階層レイヤはＦＤＤに従って動作し得、第２の階層レイヤはＴＤＤに従って動作し得る。いくつかの例では、ＯＦＤＭＡ通信信号は、各階層レイヤのためのＬＴＥダウンリンク送信のための通信リンク１２５において使用され得、シングルキャリア周波数分割多元接続（ＳＣ−ＦＤＭＡ）通信信号は、各階層レイヤにおけるＬＴＥアップリンク送信のための通信リンク１２５において使用され得る。ワイヤレス通信システム１００などのシステムにおける階層レイヤの実装に関する追加の詳細、ならびにそのようなシステムにおける通信に関係する他の特徴および機能が、以下の図を参照しながら以下で与えられる。
【００４１】
[0057]図２は、ＬＴＥまたはＵＬＬ  ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６に発展型パケットコアへのアクセスポイントを与えるように構成される。一態様では、ｅＮＢ２０４は、超低レイテンシ（ＵＬＬ）データ構造、たとえば、限定はしないが、１つのシンボルのＴＴＩを含み得る、データ構造７００（図７）、データ構造８００（図８）、またはデータ構造９００（図９）を使用して、制御情報およびユーザデータの、いくつかのＵＥ１１５との通信を迅速化するように構成されたスケジューリング構成要素６０２を含み得る。同様に、ＵＥ２０６のうちの１つまたは複数は、ＵＬＬデータ構造を使用して、受信、復号、および動作するように構成されたダウンリンク管理構成要素６６１を含み得る。アクセスネットワーク２００のこの例では集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。
【００４２】
[0058]アクセスネットワーク２００によって採用される変調および多元接続方式は、展開されている特定の電気通信規格に応じて異なり得る。ＬＴＥまたはＵＬＬ  ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示される様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００４３】
[0059]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データスチームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００４４】
[0060]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００４５】
[0061]以下の詳細な説明では、アクセスネットワークの様々な態様が、ＤＬ上でＯＦＤＭをサポートするＭＩＭＯシステムに関して説明される。ＯＦＤＭは、ＯＦＤＭシンボル内のいくつかのサブキャリアを介してデータを変調するスペクトラム拡散（spread-spectrum）技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００４６】
[0062]図３は、いくつかの例では、本開示によって与えられるＵＬＬ  ＬＴＥ  ＤＬフレーム構造とともに利用され得る、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソース要素ブロックを含む。リソースグリッドは複数のリソース要素に分割される。ＬＴＥでは、リソース要素ブロックは、周波数領域中に１２個の連続するサブキャリアを含んでおり、各ＯＦＤＭシンボル中のノーマルサイクリックプレフィックスについて、時間領域中に７つの連続するＯＦＤＭシンボルを含んでおり、すなわち８４個のリソース要素を含んでいることがある。拡張サイクリックプレフィックスについて、リソース要素ブロックは、時間領域中に６つの連続するＯＦＤＭシンボルを含んでいることがあり、７２個のリソース要素を有する。Ｒ３０２、３０４として示されるリソース要素のいくつかは、ＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応するＰＤＳＣＨがマッピングされるリソース要素ブロック上でのみ送信される。各リソース要素によって搬送されるビット数は変調方式に依存する。したがって、ＵＥが受信するリソース要素ブロックが多いほど、また変調方式が高いほど、ＵＥのデータレートは高くなる。
【００４７】
[0063]図４は、ＬＴＥにおけるＵＬフレーム構造の一例を示す図４００である。ＵＬのための利用可能なリソース要素ブロックは、データセクションと制御セクションとに区分され得る。制御セクションは、システム帯域幅の２つのエッジにおいて形成され得、構成可能なサイズを有し得る。制御セクション中のリソース要素ブロックは、制御情報の送信のためにＵＥに割り当てられ得る。データセクションは、制御セクション中に含まれないすべてのリソース要素ブロックを含み得る。ＵＬフレーム構造は、単一のＵＥがデータセクション中の連続サブキャリアのすべてを割り当てられることを可能にし得る、連続サブキャリアを含むデータセクションを生じる。
【００４８】
[0064]ＵＥは、ｅＮＢに制御情報を送信するために、制御セクション中のリソース要素ブロック４１０ａ、４１０ｂを割り当てられ得る。ＵＥは、ｅＮＢにデータを送信するために、データセクション中のリソース要素ブロック４２０ａ、４２０ｂをも割り当てられ得る。ＵＥは、制御セクション中の割り当てられたリソース要素ブロック上の物理ＵＬ制御チャネル（ＰＵＣＣＨ：physical UL control channel）中で制御情報を送信し得る。ＵＥは、データセクション中の割り当てられたリソース要素ブロック上の物理ＵＬ共有チャネル（ＰＵＳＣＨ：physical uplink shared channel）中でデータのみまたはデータと制御情報の両方を送信し得る。ＵＬ送信は、サブフレームの両方のスロットにわたり得、周波数上でホッピングし得る。
【００４９】
[0065]初期システムアクセスを実行し、物理ランダムアクセスチャネル（ＰＲＡＣＨ：physical random access channel）４３０中でＵＬ同期を達成するために、リソース要素ブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソース要素ブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００５０】
[0066]図５は、ＬＴＥおよびＵＬＬ  ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００５１】
[0067]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００５２】
[0068]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソース要素ブロック）を割り振ることを担う。ＭＡＣサブレイヤ５１０はＨＡＲＱ動作をも担う。
【００５３】
[0069]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担う。
【００５４】
[0070]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担う。
【００５５】
[0071]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相偏移変調（ＢＰＳＫ：binary phase-shift keying）、４位相偏移変調（ＱＰＳＫ：quadrature phase-shift keying）、Ｍ位相偏移変調（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成される。ＯＦＤＭストリームは、複数の空間ストリームを生成するために空間的にプリコーディングされる。チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。さらに、ｅＮＢ６１０は、超低レイテンシ（ＵＬＬ）データ構造、たとえば、限定はしないが、１つのシンボルのＴＴＩを含み得る、データ構造７００（図７）、データ構造８００（図８）、またはデータ構造９００（図９）を使用して、制御情報およびユーザデータの、いくつかのＵＥ１１５との通信を迅速化するように構成されたスケジューリング構成要素６０２を含み得る。
【００５６】
[0072]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームであり得る。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００５７】
[0073]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、暗号解読（deciphering）と、ヘッダ解凍（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担う。さらに、ＵＥ６５０は、本開示のＵＬＬデータ構造を使用して、受信、復号、および動作するように構成されたダウンリンク管理構成要素６６１を含み得る。
【００５８】
[0074]ＵＬでは、データソース６６７が、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担う。
【００５９】
[0075]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００６０】
[0076]ＵＬ送信は、ＵＥ６５０における受信機機能に関して説明した様式と同様の様式でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００６１】
[0077]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、暗号解読と、ヘッダ解凍と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担う。さらに、コントローラ／プロセッサは、ａと通信していることがある。
【００６２】
[0078]図７は、ワイヤレス通信システムにおける迅速化されたＵＥ通信を管理するためのデータ構造７００の１つの非限定的な例を示す図である。この例では、データ構造７００は、３つの例示的なサブフレームのためのフレームスケジューリングを含み、ここで、例示的なサブフレームの各々は、時間領域中で（水平方向に）１４個のシンボルに分割される。さらに、図７に示されているように、データ構造７００を送信する際に使用されるＴＴＩは、単一のシンボルであり得る。したがって、１つのシンボルのＴＴＩは、たとえば、１つのサブフレームまたは１つのスロットのＴＴＩを有するレガシーＬＴＥダウンリンクデータ構造に対して超低レイテンシをもつデータ構造７００内で送信されるデータを与える。
【００６３】
[0079]サブフレーム１  ７０２に対応するデータ構造７００の部分によって示されているように、本開示の一態様では、制御チャネル（たとえば、ｕＰＤＣＣＨ）および／またはデータチャネル（たとえば、ｕＰＤＳＣＨ）に関連するチャネル帯域幅が、各シンボルについて複数のＲＥブロックに分割され得る。サブフレーム１  ７０２では、たとえば、各シンボルは、制御シグナリング、たとえば、ダウンリンク許可および／または１つまたは複数のアップリンク許可、あるいはダウンリンク通信のためのユーザデータを搬送するために、１つまたは複数のＵＥに各々が割り振られ得る４つのＲＥブロック（ＲＥブロック１  ７０４、ＲＥブロック２  ７０６、ＲＥブロック３  ７０８、およびＲＥブロック４  ７１０）に分割される。この例では、サブフレーム１  ７０２の各シンボルは、４つのＲＥブロック（ＲＥブロック１  ７０４、ＲＥブロック２  ７０６、ＲＥブロック３  ７０８、およびＲＥブロック４  ７１０）に分割されるが、本態様によれば、シンボルのＲＥ（またはＲＥグループ（ＲＥＧ））は、任意の数、Ｎ個のＲＥブロックに分割され得る。さらに、図７には明示的に示されていないが、ＲＥブロックは、各々が制御領域およびデータ領域を含み得るが、いくつかの例では、データ領域のみを含み得る。
【００６４】
[0080]本開示では、図７の各サブフレームのシンボルは、（ＬＴＥ制御チャネル（たとえば、ＰＤＣＣＨ）など、「レガシー制御」チャネルに割り振られた）シンボル０において開始し、左から右にシンボル１３まで増加する数で呼ばれることがある。サブフレーム１  ７０２中のデータ構造７００に示されているように、シンボルのＲＥブロックのサブセットが、個々に、ダウンリンクにおいてデータを受信するためにＵＥに許可され得る。たとえば、シンボル１１は、２つのＲＥブロック（ＲＥブロック１  ７０４およびＲＥブロック４  ７１０）は、ＵＬＬ  ＬＴＥ  ＤＬ送信のためにユーザＢに割り振られるかまたは「許可」され、中間の２つのＲＥブロック（ＲＥブロック２  ７０６およびＲＥブロック３  ７０８）は、ダウンリンクトラフィックのために割り振られないを含む。同様に、シンボル中のあらゆるＲＥブロックは、すべて、同じユーザに割り振られ得る。たとえば、シンボル６のすべての４つのＲＥブロックは、ユーザＣに割り振られている。さらに、図７には明示的に示されていないが、シンボルの異種ＲＥブロックは、異なるＵＥに割り振られ得る。言い換えれば、特定のシンボルは、０〜Ｎ個のＵＥのためのダウンリンク許可を含み得、ここで、非限定的な一態様では、この場合のＮはＲＥブロックの数に等しい。
【００６５】
[0081]さらに、サブフレーム２  ７１２に関連するデータ構造７００の部分に示されているように、データ構造７００は、レガシーＬＴＥ制御およびデータチャネルによるリソース要素割振りを含み得る。たとえば、サブフレーム２に示されているように、サブフレームの第１のシンボル（または複数のシンボル）が、（たとえば、ＰＤＣＣＨを介して）レガシー制御情報を搬送し得る。さらに、サブフレーム２の残りのシンボル中に、ＰＤＳＣＨを介してＵＥデータが送信され得る。サブフレーム１  ７０２のシンボルとは異なり、これらのレガシーＬＴＥ  ＰＤＳＣＨシンボルは、制御領域とデータ領域の両方を各々が含んでいることがあるＲＥブロックに分割されないことがある。さらに、サブフレーム１、２、および３のシンボル１は、レガシーＬＴＥ制御が、利用可能な帯域幅全体のために実装されることを示すが、これは排他的構成でない。代わりに、本開示では、レガシー制御情報は、任意のサブフレームの任意のシンボルのＲＥブロックのサブセット中で送信され得る。同様に、レガシー制御情報は、任意のサブフレームの２つ以上の（連続または異種）シンボル中で送信され得る。さらなる一例では、そのようなレガシー制御シンボル中の未使用帯域幅（あるいはＲＥ、ＲＥＧ、またはＲＥブロック）は、本明細書で説明する方法に従って、ＵＬＬ  ＬＴＥダウンリンク帯域幅割振りのために割り振られ得る。さらに、本開示によれば、ｕＰＤＣＣＨ送信およびｕＰＤＳＣＨ送信は、レガシーＰＤＳＣＨ領域ならびにレガシーＰＤＣＣＨ制御領域の両方内にスケジュールされ得る（たとえば、サブフレーム２参照）。
【００６６】
[0082]本開示のさらなる態様では、制御情報は、１つまたは複数の段階に分離され得、制御情報の１つまたは複数の段階は、データ構造７００における異なるロケーションに配置され得る。たとえば、一態様では、制御情報は、第１の段階および第２の段階に分離され得、ここで、第１の段階は、レガシーＬＴＥ制御チャネル（すなわち、ＰＤＣＣＨ）に関連する制御情報を含み、第２の段階は、ＵＬＬ  ＬＴＥ制御チャネル（たとえば、ｕＰＤＣＣＨ）に関連する制御情報を含む。いくつかの例では、制御情報は、限定はしないが、ダウンリンク制御情報（ＤＣＩ）など、リソース許可情報を含み得る。さらに、第１段階制御情報は、レガシー制御シンボル（たとえば、データ構造７００のサブフレーム１〜３のシンボル０位置にある例示的なレガシー制御シンボル）など、データ構造７００のレガシー制御シンボルまたはＲＥブロック中にあり得る。
【００６７】
[0083]しかしながら、第２段階制御情報は、データ構造７００の第１のサブフレームのシンボル１〜１３に示されている（および以下の図８のデータ構造８００にさらに示されている）例示的なＲＥブロックなど、１つまたは複数のＵＬＬ  ＬＴＥ  ＲＥブロックの制御領域中にあり得る。制御情報を複数の段階に分離することによって、ＵＬＬ  ＬＴＥ  ＲＥブロックの制御領域が最小限に抑えられ、このことは、これらのＲＥブロックのデータ領域を最大にし、それにより、所与のＲＥブロックまたはシンボル中で送信され得るデータの量を最大にする。
【００６８】
[0084]さらに、図７のサブフレーム３  ７１４に関して示されているように、データ構造７００は、レガシーＰＤＳＣＨとｕＰＤＳＣＨの両方のために帯域幅またはＲＥグループをコンカレントに割り振り得る。たとえば、サブフレーム３のシンボル４に示されているように、データ構造７００は、レガシーＰＤＳＣＨダウンリンク送信のためにＲＥグループ（最上のＲＥグループ）を割り振り得、残りのＲＥブロック（または残りのＲＥブロックのサブセット）を、ｕＰＤＳＣＨを介してデータを受信するように構成されたＵＥ（または「ユーザ」）にコンカレントに割り振り得る。
【００６９】
[0085]したがって、図７に示されているように、データ構造７００は、レガシーＬＴＥ通信プロトコルまたはＵＬＬ  ＬＴＥ通信プロトコルのいずれかを利用するＵＥまたはＵＥ適用例のための帯域幅を割り振り得る。レガシーＬＴＥとＵＬＬ  ＬＴＥとの間のこのインターオペラビリティは、サブフレーム単位ベースであるか（もっぱらＵＬＬ  ＬＴＥを利用するサブフレーム１  ７０２対もっぱらレガシーＬＴＥを利用するサブフレーム２  ７１２参照）、またはシンボル内ベースであり得る（コンカレントにレガシーＬＴＥ割振りとＵＬＬ  ＬＴＥ割振りとを利用するサブフレーム３  ７１４参照）。
【００７０】
[0086]図８は、ＵＬＬ  ＬＴＥシステムにおけるダウンリンクサブフレームの単一のシンボルのためのＲＥ（または周波数）割振りの一例を表す、ＵＥ通信を管理するためのデータ構造８００を示し、ここで、ＴＴＩは１つのシンボルである。言い換えれば、図７に関して、図８のデータ構造８００は、たとえば、サブフレーム１またはサブフレーム３の単一のシンボルを表し得る。図８に示されているように、データ構造８００は、利用可能なチャネル帯域幅８０３を複数のＲＥブロックに分割する。詳細には、この非限定的な例では、チャネル帯域幅８０３は、４つのＲＥブロック８０５、すなわち、ＲＥブロック１、ＲＥブロック２、ＲＥブロック３、およびＲＥブロック４に分割される。４つのＲＥブロックが図８に示されているが、チャネル帯域幅８０３は、本開示によって企図される実装形態において、任意の数の１つまたは複数のＲＥブロック８０５に分割され得る。さらに、図８の各ＲＥブロック８０５は、チャネル帯域幅がそれに分割され得る複数のＲＥ（ＲＥ（０）〜ＲＥ（Ｎ））のうちの１つまたは複数のＲＥを含んでいることがある。いくつかの例では、各ＲＥブロック８０５は、同数のＲＥを含んでいることがあるか、またはさもなければ、実質的に同様の関連する周波数帯域幅を有し得る。
【００７１】
[0087]さらに、データ構造８００の複数のＲＥブロック８０５のうちのいずれか１つまたは複数は、固定または既知のロケーションにおける制御領域８０１と、対応するデータ領域８０２とを含み得る。本開示の一態様では、制御領域８０１は、制御情報が、たとえば、ｕＰＤＣＣＨを介してそれの上で送信され得るＲＥブロック８０５の一部分を表し得、制御領域８０１のために使用されるリソース要素のサブセットは、ダウンリンク管理構成要素６６１を含むＵＥによって固定されるかまたはさもなければ知られ得る。いくつかの態様では、制御領域８０１は、ＲＥブロック８０５内でインターリーブされ得る。さらに、制御領域８０１において送信される制御情報は、１つまたは複数のＵＥへのダウンリンクまたはアップリンク周波数許可を含み得る。非限定的な一例では、たとえば、ダウンリンク許可は、少なくとも、制御情報を含んでいる同じＲＥブロック８０５中で、ダウンリンク共有チャネル（たとえば、ｕＰＤＳＣＨ）上でデータを受信するようにＵＥがスケジュールされることをＵＥに示し得る。代替的に、または追加として、周波数許可は、同じＵＥのための、または１つまたは複数の他のＵＥのためのアップリンク許可であり得、それらのＵＥの各々は、ＵＥが、（たとえば、ＵＬＬ物理アップリンク共有チャネル（ｕＰＵＳＣＨ）上で）割り振られたアップリンクリソースにおいてデータを送信し得ることをそれぞれのＵＥに示し得る。
【００７２】
[0088]本開示のさらなる態様では、制御領域８０１は、ＲＥブロック８０５内の特定のＲＥロケーションにあり得、ここで、これらのＲＥロケーションの範囲は、制御領域８０１中でリソース許可を受信している１つまたは複数のＵＥのアグリゲーションレベルの関数である。これらの特定のＲＥロケーションおよび許可のＲＥサイズが、各ＵＥおよびｅノードＢによって知られる（たとえば、ＲＥのサブセットが、事前に知られており、所与のＵＥのためのＲＥのサブセットの適用可能範囲が、ＵＥのアグリゲーションレベルから推論され得る）ので、ｅノードＢは、特定のＲＥロケーションのうちの１つにおいて開始するＲＥ間隔においてＵＥのための許可をスケジュールし得る。制御領域８０１のためにこのＲＥロケーション方式を使用することによって、各ＵＥは、各シンボル中で、限られた回数のブラインド復号、たとえば、レガシーＬＴＥシステムにおけるよりも少ない回数を行うだけでよいことがある。これは、各ＵＥが、各ＬＴＥシンボル中で最高４４回のブラインド復号を実行することが必要とされる、レガシーＬＴＥダウンリンクリソーススケジューリングに勝る大幅な改善である。
【００７３】
[0089]たとえば、ＵＬＬ  ＬＴＥ  ＵＥに必要なブラインド復号の減少を示すために、より多くのＵＥのうちの１つの各々（またはＵＥの関係する個々の適用例またはフロー）に関連し得る、例示的なアグリゲーションレベル１、２、４、および８について考える。また、各ＲＥブロックが４０個のＲＥＧからなると仮定する（ここで、各ＲＥＧは複数のＲＥで構成され得る）。アグリゲーションレベル１の場合、（５つのＲＥＧのサイズを有する）４回のブラインド復号が、各シンボルの各ＲＥブロックについて必要とされ得、それぞれ、ＲＥＧ０、１０、２０、および３０において開始し得る。アグリゲーションレベル２の場合、同じく、（１０個のＲＥＧのサイズを有する）４回のブラインド復号が、各シンボルの各ＲＥブロックについて必要とされ得、同じく、それぞれ、ＲＥＧ０、１０、２０、および３０において開始し得る。アグリゲーションレベル４の場合、（２０個のＲＥＧのサイズを有する）２回のブラインド復号が、各シンボルの各ＲＥブロックについて必要とされ得、それぞれ、ＲＥＧ０およびＲＥＧ２０において開始し得る。最後に、アグリゲーションレベル８の場合、（４０個のＲＥＧのサイズを有する）ただ１回のブラインド復号が、各シンボルの各ＲＥブロックについて必要とされ得、ＲＥＧ０において開始し得る。したがって、図８の例示的なデータ構造８００では、シンボルが４つのＲＥブロックを含んでいるので、必要とされるブラインド復号の最大回数は１６になり、１または２のアグリゲーションレベルを有するＵＥ（あるいは関係するアプリケーションまたはフロー）によって実行されることになる。４のアグリゲーションレベルをもつＵＥは、合計８回のブラインド復号を実行することが必要とされ、８のアグリゲーションレベルをもつＵＥは、シンボル全体のために合計４回のブラインド復号を実行することが必要とされるにすぎない。したがって、レガシーＬＴＥシステムの４４回の必要とされるブラインド復号を考慮すれば、本明細書で説明するＵＬＬ  ＬＴＥのアグリゲーションレベル固有およびＲＥロケーション固有周波数許可方式は、レガシーＬＴＥと相対して著しいリソース節約を与える。
【００７４】
[0090]さらに、制御領域８０１中で送信される制御情報は、可変ＴＴＩ持続時間を指定することができる。上記で導入されたように、１つのオプションの構成では、ＴＴＩは、１つのシンボルの固定持続時間であり得る。しかしながら、他の構成では、制御情報は、ＴＴＩが１つのシンボルであるのか１つのスロットであるのかを示し得る。同様に、別のオプションの構成では、制御情報は、ＴＴＩが、１つのシンボルであるのか、２つのシンボルであるのか、スロットであるのか、サブフレームであるのかを示し得る。ＵＬＬ  ＬＴＥシンボルよりも長いＴＴＩを利用することによって、システムは、より長い割振りを用いて取得されるＵＥ固有基準信号（ＵＥ−ＲＳ）タイプチャネル推定を利用し得る。さらに、より長いＴＴＩ持続時間は、増加されたスケジューリング効率、フレキシビリティ、およびオーバーヘッドの低減を与え得る。
【００７５】
[0091]データ領域８０２は、制御領域が確立された後、特定のＲＥブロック８０５中で未使用である１つまたは複数のＲＥを含み得る。データ領域８０２は、ユーザデータが、ダウンリンク許可を受信したＵＥにそれの上で送信されるＲＥブロック８０５の部分である。いくつかの例では、データ領域８０２は、ダウンリンク許可を含む制御領域８０１を含んでいた特定のＲＥブロック８０５内にあり得、他の場合には、データ領域８０２は、ダウンリンク許可を含む制御領域８０１とは異なるＲＥブロック中にあり得る。たとえば、ＵＥがシンボル中で２つ以上のＲＥブロックのためのＤＬ許可を受信したことを示す許可を制御領域８０１が含む場合、データ領域８０２は、追加のＲＥブロック全体、またはＵＥに許可されているが、ダウンリンク許可がそれの上で送信されたＲＥブロックに対応しない他の追加のＲＥブロックを構成し得る。
【００７６】
[0092]さらに、図８に示されているように、各ＲＥブロック８０５の制御領域８０１およびデータ領域８０２は、シンボルの他のＲＥブロック８０５に対してサイズが変動し得る。たとえば、ＲＥブロック２の制御領域８０１は、ＲＥブロック１の制御領域よりも大きく、したがって、ＲＥブロック１のデータ領域８０２は、ＲＥブロック２のデータ領域８０２よりも大きい。一態様では、相対領域サイズのこの差異は、特定の制御領域８０１中に含まれる許可の数の関数であり得る。追加または代替として、制御領域８０１のサイズは、制御領域８０１中で許可を受信する１つまたは複数のＵＥに関連するアグリゲーションレベルの関数として変動し得る。異種アグリゲーションレベルは、情報を送信するために、固有のＲＥ（またはＲＥＧ）長さを必要とするので、結果として、異種アグリゲーションレベルを有するＵＥに対応する許可は、固有のＲＥ（またはＲＥＧ）長さを有することになる。
【００７７】
[0093]その上、データ構造８００は、シンボルのチャネル帯域幅全体が、本開示によって導入されるＵＬＬ  ＬＴＥのためのＲＥブロックベースデータ構造に従うことを示すが、帯域幅割振りのレガシーＬＴＥ方法が、データ構造８００のＲＥブロックのうちの１つまたは複数中で代替的に使用され得る。たとえば、図７のサブフレーム３に一時的に戻ると、シンボルの最上ＲＥブロック（または他のＲＥブロック）は、レガシーＬＴＥ  ＰＤＳＣＨ方法に従ってスケジュールされ得る。
【００７８】
[0094]図９は、たとえば、ＵＬＬ  ＬＴＥシステムにおける、迅速化されたＵＥ通信を管理するための例示的なデータ構造９００を示す。それぞれ、図７および図８のデータ構造７００およびデータ構造８００と同様に、データ構造９００は、１つのシンボルＴＴＩを用いて使用され得、シンボル内に４つのＲＥブロックを含んでおり、それはまた、制御領域中の１つまたは複数の許可を含んでおり、制御領域中のダウンリンク許可を受信するＵＥのための送信のためにそれの上でユーザデータが割り振られるデータ領域を含んでいることがある。第１のＵＥのためのダウンリンク許可（ＤＬ許可１）と、第２のＵＥのためのアップリンク許可（ＵＬ許可２）と、第３のＵＥのための別のアップリンク許可（ＵＬ許可３）とを含んでいる、ＲＥブロック１の制御領域について考える。
【００７９】
[0095]本開示の一態様によれば、非限定的な一例では、各ＲＥブロックは、ＲＥブロックのデータ領域のための単一のダウンリンク許可を含んでいることがある。さらなる態様では、このダウンリンク許可は、ＲＥブロックの制御領域中の第１のリソース要素中に含まれていることがある。したがって、ＲＥブロック１では、ＤＬ許可１は、ＲＥブロック１中の唯一のＤＬ許可であり、ＲＥブロック１の（たとえば、データ領域から最も遠く離れた）第１のリソース要素中にある。
【００８０】
[0096]さらに、本開示の一態様では、ＲＥブロック中のダウンリンク許可は、ＲＥブロック中のデータ領域のロケーションを暗黙的にまたは明示的に識別するインジケーションを含み得る。いくつかの非限定的な例では、このインジケーションは、ＲＥブロックの明示的ＲＥまたはＲＥＧ数を含み得る。しかしながら、他の非限定的な例では、インジケーションは、マルチビットインジケータを含み得、ここで、マルチビットインジケータの値は、（１）ダウンリンク許可が制御領域中の唯一の許可であること、または（２）ダウンリンク許可を有するＵＥが、データ領域の開始ロケーションをそれから推論し得るＲＥＧ位置またはアグリゲーションレベルインジケータを示し得る。言い換えれば、複数のリソース許可（たとえば、１つのダウンリンク許可および少なくとも１つのアップリンク許可）を含んでいる制御領域について、ダウンリンク許可中のマルチビットインジケータは、制御領域のサイズを暗黙的に示し得、したがって、データ領域の開始が推論され得る。
【００８１】
[0097]代替的に、別の非限定的な例では、ダウンリンク許可が、ＲＥブロック内の唯一の許可である場合、インジケータは、それが唯一のＤＬ許可であることをＵＥに通知し得る。この状況では、ＵＥは、それのアグリゲーションレベルに気づいているので、ＵＥは、ＲＥブロックのデータ領域の開始ロケーションが、ＵＥのための制御領域（たとえば、ブラインド復号範囲）の直後にくることを暗号解読することが可能である。この状況は、データ構造９００においてＲＥブロック４中に示されており、ここで、ＤＬ許可５は、ＲＥブロック４の制御領域中の唯一の許可である。ＤＬ許可５は、ダウンリンク許可を受信する第５のＵＥに、ＤＬ許可５が、ＲＥブロック４の制御領域の唯一の許可であることを示すことによって、ｕＰＤＳＣＨ（またはデータ領域）開始ロケーションを示し得る。このインジケーションから、第５のＵＥは、ＲＥブロック４のデータ領域のための開始ロケーションを決定することが可能である。
【００８２】
[0098]いくつかの例では、マルチビットインジケータは、２ビットインジケータであり得る。そのような例では、インジケータのビット値は、以下のように制御領域のサイズを示し得る。
【００８３】
【表１】
0006789928.tif 000002
【００８４】
[0099]上記で説明したインジケータを使用して、データ領域は、特定のアグリゲーションレベルに関連するロケーションにおいて開始し得る。固有のアグリゲーションレベルを実装するＵＥは、それらが（上記で説明した）ブラインド復号をそこで実行する特定のロケーションを有するので、データ領域の開始位置を、１つまたは複数のＵＥのブラインド復号スケジュールに同期させることは、ＲＥブロックのデータ部分の開始ロケーションと、制御領域のサイズとを暗黙的に選択するための効率的で編成された様式を与える。
【００８５】
[00100]上記で導入された、図９に提示されている例示的なデータ構造９００に戻ると、ＤＬ許可１は、ＤＬ許可１を受信する第１のＵＥに、ｕＰＤＳＣＨ開始ロケーション（またはデータ領域開始ロケーション）を示す。たとえば、データ構造９００では、ＲＥブロック１のｕＰＤＳＣＨまたはデータ領域は、ＵＬ許可３の後に開始する。図示のように、ＵＬ許可３の後に、ＲＥブロック１の残りのリソース要素は、ｕＰＤＳＣＨ上の第１のＵＥへのダウンリンク通信に割り振られる。さらに、リソース許可は、リソース許可がその間に割り振られるＲＥブロックのデータ領域に専用でないことがある。たとえば、データ構造９００に示されているように、ＤＬ許可１は、第１のＵＥのためのダウンリンク許可が、ＲＥブロック１の全データ領域ならびにＲＥブロック２の全体のためのものであることを示し得る。したがって、ＲＥブロック２は、制御領域を含んでいない。代わりに、ＲＥブロック２の全部が、ＤＬ許可１によって第１のＵＥへのＤＬ送信に割り振られる。したがって、本開示の一態様では、ｅＮＢは、１つのｕＰＤＳＣＨ許可を使用して、連続割振りまたは分散割振りのいずれかにおいて、ｕＰＤＳＣＨ  ＲＥブロックの任意の組合せを割り振り得る。
【００８６】
[00101]さらに、一態様では、ＲＥブロックの制御領域がアップリンク周波数許可のみを含んでいる場合、ＲＥブロックの残りの帯域幅は、未使用のままであり得る。そのような例は、データ構造９００のＲＥブロック３に示されている。しかしながら、いくつかの例では、このｕＰＤＳＣＨリソースを未使用のままにする代わりに、残りのリソース要素は、別のＲＥブロックのＤＬ許可中で１つまたは複数のＵＥに割り振られ得る。
【００８７】
[00102]図１０に、ＵＬＬ  ＬＴＥをサポートするネットワークエンティティ（たとえば、ｅノードＢ）、または限定はしないが、図６および図１１のスケジューリング構成要素６０２など、ネットワークエンティティの構成要素によって実行され得る、本開示の例示的な方法１０００を示す。たとえば、一態様では、ブロック１００２において、方法１０００は、ネットワークエンティティにおいて、ダウンリンクチャネル上での１つまたは複数のＵＥへの送信のためのユーザデータを取得することを含み得る。いくつかの例では、ダウンリンクチャネルは、ｕＰＤＣＣＨまたはｕＰＤＳＣＨの一方または両方であり得る。たとえば、一態様では、ｅノードＢは、１つまたは複数のデータフローを受信し得、データフローからの受信データを１つまたは複数のＵＥに送信するために、１つまたは複数のＵＥへの１つまたは複数の無線ベアラを維持または確立し得る。
【００８８】
[00103]さらに、ブロック１００４において、方法１０００は、データまたは１つまたは複数のＵＥのうちの少なくとも１つに関連する１つまたは複数の配信制約を決定することを含み得る。一態様では、そのような配信制約は、サービス品質（ＱｏＳ）制約、レイテンシ要件、チャネル状態情報（ＣＳＩ）メッセージを介して報告され得るものなどの無線状態、ＵＥのための送信キュー中のデータの量、たとえば、１つまたは複数のＨＡＲＱプロセスの動作による、再送信のためのデータの量、あるいは特定のＵＥ、アプリケーション、関連データ、またはネットワーク動作によって課される他の制約を含み得る。
【００８９】
[00104]さらに、ブロック１００６において、方法１０００は、送信のためのユーザデータと、１つまたは複数の配信制約とに基づいて、データの送信のためにダウンリンクチャネルリソースを割り振るためのデータ構造を生成することを含み得る。一態様では、データ構造は、図７〜図９のデータ構造７００、８００、または９００のうちの１つまたは複数など、本開示で説明するデータ構造を含み得る。したがって、ブロック１００６においてシンボルを定義するデータ構造は、ダウンリンクサブフレーム中のＴＴＩを定義するシンボル内で、周波数帯域幅がそれに分割される１つまたは複数のリソース要素ブロックを含み得る。さらに、シンボルのためのデータ構造は、１つまたは複数のリソース要素ブロックのうちの少なくとも１つのリソース要素ブロック内の制御領域およびデータ領域を含み得る。その上、データ構造は、ダウンリンクチャネルによってサービスされるユーザ機器のための、制御領域内にあるダウンリンクリソース許可を含み得る。（破線によって示されているように）オプションとして、ブロック１００８において、方法１０００は、生成されたデータ構造を、たとえば、１つまたは複数のＵＥに送信することを含み得る。
【００９０】
[00105]さらに、図１０には明示的に示されていないが、方法１０００は、ＵＬＬ  ＬＴＥ通信に関連し得、１つのサブフレーム（あるいは、いくつかの例では、３つまたはそれよりも少ないシンボル）よりも少ないＨＡＲＱ応答時間を有し得る、ＨＡＲＱプロセスに関係する１つまたは複数の特徴を含み得る。たとえば、方法１０００は、迅速化された再送信時間をもつＨＡＲＱプロセスを維持することをさらに含み得、それは、いくつかの非限定的な例では、１つのサブフレームよりも少ない。同様に、方法１０００は、３つのシンボル内でユーザデータを再送信すべきなのか、４つのシンボル内でユーザデータを再送信すべきなのか、サブフレームの１／２内でユーザデータを再送信すべきなのかを決定することをさらに含み得る。
【００９１】
[00106]図１１は、たとえば、ＵＬＬ  ＬＴＥシステムにおけるレイテンシを低減するために、１つまたは複数のＵＥへの制御情報および／またはユーザデータの迅速化されたダウンリンク送信をスケジュールするためにネットワークエンティティ（たとえば、ｅノードＢ）によって実装され得る、スケジューリング構成要素６０２（図６参照）の複数の副構成要素を含んでいるブロック図である。スケジューリング構成要素６０２は、１つまたは複数のＵＥへの送信のためのユーザデータ１１０６および／または制御情報１１１０の送信のためのダウンリンクリソース割振りを管理するデータ構造を生成するように構成され得る、データ構造生成構成要素１１０２を含み得る。一態様では、生成されたデータ構造は、図７〜図９のデータ構造７００、８００、または９００のうちの１つまたは複数など、本開示で説明するデータ構造を含み得る。
【００９２】
[00107]一態様では、データ構造生成構成要素１１０２は、本明細書で定義する方法および構造によるデータ構造における送信のためのユーザデータ１１０６のＵＬＬスケジューリングを実行するように構成され得る、ＵＬＬスケジューリングアルゴリズム１１０４を利用するように構成され得る。さらに、データ構造生成構成要素１１０２は、送信のためのユーザデータ１１０６、および／または送信のためのユーザデータ１１０６がそれに送信されるべきである１つまたは複数のＵＥに関連する、１つまたは複数の配信制約１１０８を含むかあるいはさもなければ取得または識別し得る。一態様では、そのような配信制約１１０８は、ＱｏＳ制約、レイテンシ要件、ＣＳＩメッセージを介して報告され得るものなどの無線状態、ＵＥのための送信キュー中のデータの量、たとえば、１つまたは複数のＨＡＲＱプロセスの動作による、再送信のためのデータの量、あるいは特定のＵＥ、アプリケーション、関連データ、またはネットワーク動作によって課される他の制約を含み得る。
【００９３】
[00108]データ構造生成構成要素１１０２は、ＵＬＬスケジューリングアルゴリズム１１０４を利用し得、ＵＬＬスケジューリングアルゴリズム１１０４は、たとえば、データが、１つのシンボルのＴＴＩを用いて送信されるように、１つまたは複数のＵＥへの送信のためのユーザデータ１１０６のスケジューリングを最適化するためのデータ構造を生成するために、入力パラメータとして少なくとも配信制約１１０８と送信のためのユーザデータ１１０６とを取り得る。
【００９４】
[00109]図１２は、例示的な装置１２０２中の異なるモジュール／手段／構成要素間のデータフローを示す概念データフロー図１２００である。本装置はｅノードＢであり得る。本装置は、（たとえば、他のネットワークエンティティおよび／またはＵＥによって装置１２０２に送られた）データを受信するように構成された受信構成要素１２０４と、スケジューリング構成要素６０２およびそれの関係するデータ構造生成構成要素１１０２（たとえば、図１１参照）と、少なくともＵＬＬデータ構造および／または送信のためのユーザデータ１１０６を、１つまたは複数のＵＥに送信するように構成された送信構成要素１２０６とを含む。
【００９５】
[00110]本装置は、図１０の上述のフローチャート中のアルゴリズムのステップの各々を実行する追加のモジュールを含み得る。したがって、図１０の上述のフローチャート中の各ステップは１つのモジュールによって実行され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９６】
[00111]図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４と、スケジューリング構成要素６０２およびそれの関係するデータ構造生成構成要素１１０２（たとえば、図１１参照）と、コンピュータ可読媒体１３０６とによって表される、１つまたは複数のプロセッサおよび／またはハードウェアモジュールを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００９７】
[00112]処理システム１３１４はトランシーバ１３１０に結合され得る。トランシーバ１３１０は、１つまたは複数のアンテナ１３２０に結合される。トランシーバ１３１０は、伝送媒体を介して様々な他の装置と通信するための手段を与える。さらに、トランシーバ１３１０は、ＵＬＬデータ構造および／または送信のためのユーザデータを、１つまたは複数のＵＥに送信するように構成され得、図１２の送信構成要素１２０６を潜在的に含み得る。処理システム１３１４は、コンピュータ可読媒体１３０６に結合されたプロセッサ１３０４を含む。プロセッサ１３０４は、コンピュータ可読媒体１３０６に記憶されたソフトウェアの実行を含む一般的な処理を担う。ソフトウェアは、プロセッサ１３０４によって実行されたとき、処理システム１３１４に、特定の装置のための上記で説明した様々な機能を実行させる。コンピュータ可読媒体１３０６はまた、ソフトウェアを実行するときにプロセッサ１３０４によって操作されるデータを記憶するために使用され得る。処理システムは、スケジューリング構成要素６０２と、それの関係するデータ構造生成構成要素１１０２とのうちの少なくとも１つをさらに含む（たとえば、図１１参照）。モジュール／構成要素は、コンピュータ可読媒体１３０６中に常駐する／記憶された、プロセッサ１３０４中で動作するソフトウェアモジュールであるか、プロセッサ１３０４に結合された１つまたは複数のハードウェアモジュールであるか、またはそれらの何らかの組合せであり得る。処理システム１３１４は、ｅＮＢ６１０の構成要素であり得、メモリ６７６および／またはＴＸプロセッサ６１６と、ＲＸプロセッサ６７０と、コントローラ／プロセッサ６７５とのうちの少なくとも１つを含み得る。
【００９８】
[00113]一構成では、ワイヤレス通信のための装置１２０２／１２０２’は、ダウンリンクチャネル上での１つまたは複数のＵＥへの送信のためのユーザデータ１１０６を取得するための手段と、データおよび１つまたは複数のＵＥのうちの少なくとも１つに関連する１つまたは複数の配信制約１１０８を決定するための手段と、送信のためのユーザデータ１１０６と、１つまたは複数の配信制約１１０８とに基づいて、送信のためのユーザデータ１１０６の送信のためにダウンリンクチャネルリソースを割り振るためのデータ構造によって定義されたシンボルを生成することとを含む。上述の手段は、上述の手段によって具陳された機能を実行するように構成された、装置１２０２、および／または装置１２０２’の処理システム１３１４の上述のモジュールのうちの１つまたは複数であり得る。上記で説明したように、処理システム１３１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。
【００９９】
[00114]さらに、本開示の例示的なｅＮＢによって実行され得る方法１０００と同様に、１つまたは複数のＵＥ（たとえば、図１のＵＥ１１５、図２のＵＥ２０６、または図６のＵＥ６５０）は、本明細書で提示するＵＬＬ  ＬＴＥデータ構造に関係する方法を実行し得る。そのような例示的な方法１４００を示すフローチャートが、図１４に提示されている。一態様では、方法１４００は、ダウンリンク管理構成要素６６１（図１、図２、図６参照）および／またはＵＥの他の構成要素（たとえば、図６のコントローラ／プロセッサ６５９）によって実行され得る。ブロック１４０２において、方法１４００は、ＵＥにおいて、ダウンリンクチャネル上でネットワークエンティティによって送信されたデータ構造を受信することを含み得る。一態様では、データ構造は、限定はしないが、図７〜図９のデータ構造７００、８００、または９００のうちの１つまたは複数を含む、本開示で説明する任意のデータ構造であり得る。たとえば、データ構造は、ダウンリンクサブフレーム中のＴＴＩを定義するシンボル内で、周波数帯域幅がそれに分割される１つまたは複数のリソース要素ブロックと、１つまたは複数のリソース要素ブロックのうちの少なくとも１つのリソース要素ブロック内の制御領域およびデータ領域と、制御領域内にあるダウンリンクリソース許可とを含み得る。いくつかの例では、ブロック１４０２は、図１６の受信構成要素１６０４、あるいは図１７のトランシーバ１７１０またはアンテナ１７２０の一方または両方によって実行され得る。
【０１００】
[00115]さらに、方法１４００は、ブロック１４０４において、制御情報がＵＥのためのものであるかどうかを決定するために、制御領域に対して検査を実行することを含み得る。一態様では、この検査は、巡回冗長検査（ＣＲＣ）を含み得る。いくつかの例では、ブロック１４０４は、図１５の制御領域検査構成要素１５０２によって実行され得る。
【０１０１】
[00116]さらに、方法１４００は、ブロック１４０６において、検査に合格した場合、制御情報に基づいて、シンボルのデータ領域の位置を決定することを含み得る。一態様では、ブロック１４０６は、図１５のデータ領域位置決定構成要素１５０４によって実行され得る。
【０１０２】
[00117]その上、方法１４００は、ブロック１４０８において、決定された位置において、データ領域中のユーザデータを受信することを含み得る。一態様では、ブロック１４０８は、図１６の受信構成要素１６０４、あるいは図１７のトランシーバ１７１０またはアンテナ１７２０の一方または両方によって実行され得る。
【０１０３】
[00118]さらに、例示的な方法は、ＵＥにおいてＨＡＲＱプロセスを実行することに関係する（図１４に示されていない）さらなる態様を含み得る。たとえば、ＵＥによって実行される例示的な方法は、データを復号することを試みることを含み得る。さらに、本方法は、迅速化されたＨＡＲＱ応答時間内にデータを復号することを試みることに基づいて、ＨＡＲＱ応答を送信することを含み得、それは、いくつかの非限定的な例では、１つのサブフレームよりも少ないことがある。さらに、迅速化されたＨＡＲＱ応答時間は、サブフレームの３つのシンボルであり得る。一態様では、これらの追加のオプションの態様は、図１５のダウンリンク管理構成要素６６１、図１６の受信構成要素１６０４、あるいは図１７のトランシーバ１７１０またはアンテナ１７２０の一方または両方によって実行され得る。
【０１０４】
[00119]図１５は、たとえば、ＵＬＬ  ＬＴＥシステムにおけるレイテンシを低減するために、制御情報および／またはユーザデータのダウンリンク送信を受信および処理するためにＵＥ（たとえば、図１のＵＥ１１５、図２のＵＥ２０６、または図６のＵＥ６５０）によって実装され得る、ダウンリンク管理構成要素６１１（図１、図２、および図６参照）の複数の副構成要素を含んでいるブロック図である。ダウンリンク管理構成要素６１１は、１つまたは複数のリソース要素位置にある制御情報がＵＥのためのものであるかどうかを決定するために、（たとえば、ダウンリンクシンボルに関連する）受信されたデータ構造の１つまたは複数のリソース要素位置の各々において受信された制御領域に対して検査を実行するように構成され得る、制御領域検査構成要素１５０２を含み得る。一態様では、１つまたは複数のリソース要素位置は、特定のシンボル内に含まれるリソース要素の知られているサブセットであり得、ネットワークエンティティによって生成され、ＵＥに送信されたデータ構造によって定義され得る。そのようなデータ構造は、図７〜図９のデータ構造７００、８００、または９００のうちの１つまたは複数など、本開示で説明するデータ構造を含み得る。
【０１０５】
[00120]追加の態様では、ダウンリンク管理構成要素６６１は、制御領域検査構成要素１５０２によって実行された検査に合格した場合、シンボルの制御領域中にある制御情報に基づいて、シンボルのデータ領域の位置を決定するように構成され、データ領域位置決定構成要素１５０４を含み得る。
【０１０６】
[00121]図１６は、ＵＥ（たとえば、図１のＵＥ１１５、図２のＵＥ２０６、または図６のＵＥ６５０）であり得る、例示的な装置１６０２中の異なるモジュール／手段／構成要素間のデータフローを示す概念データフロー図１６００である。一態様では、装置１６０２は、図７のデータ構造７００、および制御チャネルを介して受信された関連する制御データ、および／またはデータチャネルを介したダウンリンクデータを含み得る、データ１６１０を受信するように構成された受信構成要素１６０４を含む。そのようなデータ１６１０は、たとえば、ネットワークエンティティ１６０８によって、装置１６０２に送信され得、ネットワークエンティティ１６０８は、限定はしないが、それらのうちのいずれも、スケジューリング構成要素６０２と、それの関係するデータ構造生成構成要素１１０２とを含み得る（たとえば、図１１参照）、図１のアクセスポイント１０５、図２のマクロｅＮＢ２０４またはより低い電力クラスのｅＮＢ２０８、あるいは図６のｅＮＢ６１０を含み得る。たとえば、受信構成要素１６０４は、受信されたデータ構造（図７のデータ構造７００）によって定義されたダウンリンクシンボル、サブフレーム、またはスロットの制御チャネル領域中の１つまたは複数のリソース要素位置にある制御情報を受信および復号するように構成され得る。さらに、受信構成要素１６０４は、受信されたデータ構造のデータチャネル領域中のユーザデータを受信および復号するように構成され得、ここで、ユーザデータは、特定の周波数帯域に対応する受信されたデータ構造における決定された位置において受信される。受信構成要素１６０４は、受信データ１６１２をダウンリンク管理構成要素６６１に送り得る。
【０１０７】
[00122]さらに、装置１６０２は、ダウンリンク管理構成要素６６１（図１、図２、および図１５参照）と、それの複数の副構成要素とを含んでいることがあり、副構成要素は、たとえば、ＬＴＥシステムにおけるレイテンシを低減するために、データ（たとえば、受信データ１６１２）を処理し、図７のデータ構造７００を使用して動作するために、装置１６０２によって実装され得る。一態様では、ダウンリンク管理構成要素６６１によって実行される処理は、たとえば、ユーザデータに対して巡回冗長検査を実行することによって、受信構成要素１６０４によって受信されたユーザデータが、正常に受信および復号されたかどうかを決定することと、決定に基づいてＨＡＲＱ応答を生成することとを含み得る。
【０１０８】
[00123]さらに、装置１６０２は、１つまたは複数のメッセージ１６１６をネットワークエンティティ１６０８に送信するように構成された送信構成要素１２０６を含み得る。一態様では、１つまたは複数のメッセージ１６１６は、限定はしないが、ダウンリンク管理構成要素６６１によって生成され得るＨＡＲＱ応答を含み得る。
【０１０９】
[00124]本装置は、図１４の方法１４００のステップの各々を実行する追加のモジュールを含み得る。したがって、図１４の上述のフローチャート中の各ステップは１つのモジュールによって実行され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１０】
[00125]図１７は、処理システム１７１４を採用する装置１６０２’のためのハードウェア実装形態の一例を示す図１７００である。図１６の装置１６０２と同様に、装置１６０２’および／または処理システム１７１４は、ＵＥ（たとえば、図１のＵＥ１１５、図２のＵＥ２０６、または図６のＵＥ６５０）であり得る。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７０４、ダウンリンク管理構成要素６１１（たとえば、図１５参照）、およびコンピュータ可読媒体１７０６によって表される、１つまたは複数のプロセッサおよび／またはハードウェアモジュールを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【０１１１】
[00126]処理システム１７１４は、いくつかの例では、図１６の受信構成要素１６０４および／または送信構成要素１６０６を含み得る、トランシーバ１７１０に結合され得る。トランシーバ１７１０は、１つまたは複数のアンテナ１７２０に結合される。トランシーバ１７１０は、伝送媒体を介して様々な他の装置（たとえば、図１および図１３のアクセスポイント１０５）と通信するための手段を与える。さらに、トランシーバ１７１０は、制御情報（たとえば、図７のデータ構造７００）および／またはユーザデータを受信するように構成され得る。
【０１１２】
[00127]処理システム１７１４は、コンピュータ可読媒体１７０６に結合されたプロセッサ１７０４を含む。プロセッサ１７０４は、コンピュータ可読媒体１７０６に記憶されたソフトウェアの実行を含む一般的な処理を担う。ソフトウェアは、プロセッサ１７０４によって実行されたとき、処理システム１７１４に、特定の装置のための上記で説明した様々な機能を実行させる。コンピュータ可読媒体１７０６はまた、ソフトウェアを実行するときにプロセッサ１７０４によって操作されるデータを記憶するために使用され得る。処理システムは、ダウンリンク管理構成要素６１１と、それの関係する副構成要素とをさらに含む（たとえば、図１５参照）。モジュール／構成要素は、コンピュータ可読媒体１７０６中に常駐する／記憶された、プロセッサ１７０４中で動作するソフトウェアモジュールであるか、プロセッサ１７０４に結合された１つまたは複数のハードウェアモジュールであるか、またはそれらの何らかの組合せであり得る。処理システム１７１４は、ＵＥ６５０の構成要素であり得、図６のメモリ６６０、および／またはＴＸプロセッサ６６８と、ＲＸプロセッサ６５６と、コントローラ／プロセッサ６５９とのうちの少なくとも１つを含み得る。
【０１１３】
[00128]一構成では、ワイヤレス通信のための装置１３０２’は、ＵＥにおいて、ダウンリンクの制御チャネル領域中の１つまたは複数のリソース要素位置にある制御情報を受信するための手段と、制御情報がＵＥのためのものであるかどうかを決定するために、１つまたは複数のリソース要素位置の各々において受信された制御チャネル領域に対して検査を実行するための手段と、検査に合格した場合、制御情報に基づいて、シンボルのデータ領域の位置を決定するための手段と、決定された位置において、ダウンリンクシンボルのデータチャネル領域中のユーザデータを受信するための手段とを含む。
【０１１４】
[00129]上述の手段は、上述の手段によって具陳された機能を実行するように構成された、装置１６０２、および／または処理システム１７１４の上述のモジュールのうちの１つまたは複数であり得る。上記で説明したように、処理システム１７１４は、ＴＸプロセッサ６１６と、ＲＸプロセッサ６７０と、コントローラ／プロセッサ６７５とを含み得る。したがって、一構成では、上述の手段は、ＴＸプロセッサ６１６、ＲＸプロセッサ６７０、およびコントローラ／プロセッサ６７５、または上述の手段によって具陳された機能を実行するように構成された本開示の他の構成要素であり得る。
【０１１５】
[00130]開示したプロセス（たとえば、図１０の方法１０００および図１４の方法１４００）中のステップの特定の順序または階層は、例示的な手法の一例であることを理解されたい。設計選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１１６】
[00131]以上の説明は、当業者が本明細書で説明した様々な態様を実施できるようにするために与えられた。これらの態様に対する様々な修正は当業者には容易に明らかになり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的等価物は、参照により本明細書に明確に組み込まれ、特許請求の範囲に包含されるものである。その上、本明細書で開示するいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
［Ｃ１］
ワイヤレス通信システムにおけるユーザ機器（ＵＥ）通信を管理する方法であって、
ネットワークエンティティにおいて、ダウンリンクチャネル上での１つまたは複数のＵＥへの送信のためのユーザデータを取得することと、
前記１つまたは複数のＵＥおよび前記ユーザデータのうちの少なくとも１つに関連する１つまたは複数の配信制約を決定することと、
前記１つまたは複数の配信制約と、送信のための前記ユーザデータとに基づいて、前記ユーザデータの送信のためにダウンリンクチャネルリソースを割り振るためのデータ構造を生成することと
を備え、前記データ構造は、
ダウンリンクサブフレーム中の送信時間間隔（ＴＴＩ）を定義するシンボル内で、周波数帯域幅がそれに分割される１つまたは複数のリソース要素ブロックと、
前記１つまたは複数のリソース要素ブロックのうちの少なくとも１つのリソース要素ブロック内の制御領域およびデータ領域と、
前記ダウンリンクチャネルによってサービスされる前記１つまたは複数のＵＥのうちの１つのＵＥのための、前記制御領域内にある、ダウンリンクリソース許可と
を備える、方法。
［Ｃ２］
前記１つまたは複数のＵＥに前記データ構造を送信することをさらに備える、
［Ｃ１］に記載の方法。
［Ｃ３］
前記データ構造のダウンリンクリソース許可に従って、前記ＵＥに前記ユーザデータを送信することをさらに備える、
［Ｃ１］に記載の方法。
［Ｃ４］
前記ユーザデータの再送信のためのＨＡＲＱプロセスを維持することをさらに備え、前記ＨＡＲＱプロセスは、１つのサブフレームより少ない、
［Ｃ１］に記載の方法。
［Ｃ５］
８つのシンボル内で前記ユーザデータを再送信すべきなのかを決定することをさらに備える、
［Ｃ１］に記載の方法。
［Ｃ６］
送信のための前記ユーザデータを取得することは、データフローを介して第２のネットワークエンティティから、またはネットワークエンティティに関連する送信データキューから、前記ユーザデータを取得することを備える、
［Ｃ１］に記載の方法。
［Ｃ７］
前記ダウンリンクリソース許可は、前記１つまたは複数のリソース要素ブロックのリソースブロック内の、前記データ領域がある、位置のインジケーションを含む、
［Ｃ１］に記載の方法。
［Ｃ８］
前記データ構造は、前記ＵＥのための、前記制御領域中にある、アップリンクリソース許可をさらに備える、
［Ｃ１］に記載の方法。
［Ｃ９］
前記制御領域は、リソース要素の数を備え、前記リソース要素の数は、前記ＵＥに関連するアグリゲーションレベルに基づく、
［Ｃ１］に記載の方法。
［Ｃ１０］
ダウンリンクリソース許可は、前記ＵＥに前記少なくとも１つのリソース要素ブロックの前記制御領域外の任意のリソース要素を割り振る、
［Ｃ１］に記載の方法。
［Ｃ１１］
前記ダウンリンクリソース許可は、少なくとも１つのさらなるリソース要素ブロックのリソース要素を前記ＵＥに割り振る、
［Ｃ１］に記載の方法。
［Ｃ１２］
前記制御領域は、前記１つまたは複数のリソース要素ブロック内のリソース要素の固定サブセット内に位置する、
［Ｃ１］に記載の方法。
［Ｃ１３］
前記データ構造は、前記ダウンリンクサブフレームの少なくとも１つのさらなるシンボル内にレガシー制御領域をさらに備え、前記レガシー制御領域は、レガシーＬＴＥ制御およびデータチャネルによる少なくとも１つのリソース要素割り振りを含む、
［Ｃ９］に記載の方法。
［Ｃ１４］
ワイヤレス通信システムにおけるユーザ機器（ＵＥ）通信を管理するための装置であって、
プロセッサと、
前記プロセッサと電子通信するメモリと、
前記メモリ中に記憶された命令と
を備え、前記命令は、
ネットワークエンティティにおいて、ダウンリンクチャネル上での１つまたは複数のＵＥへの送信のためのユーザデータを取得することと、
前記１つまたは複数のＵＥおよび前記ユーザデータのうちの少なくとも１つに関連する１つまたは複数の配信制約を決定することと、
前記１つまたは複数の配信制約と、送信のための前記ユーザデータとに基づいて、前記ユーザデータの送信のためにダウンリンクチャネルリソースを割り振るためのデータ構造を生成することと
を行うようにプロセッサによって実行可能であり、前記データ構造は、
ダウンリンクサブフレーム中の送信時間間隔（ＴＴＩ）を定義するシンボル内で、周波数帯域幅がそれに分割される１つまたは複数のリソース要素ブロックと、
前記１つまたは複数のリソース要素ブロックのうちの少なくとも１つのリソース要素ブロック内の制御領域およびデータ領域と、
前記ダウンリンクチャネルによってサービスされる前記１つまたは複数のＵＥのうちの１つのＵＥのための、前記制御領域内にある、ダウンリンクリソース許可と
を備える、装置。
［Ｃ１５］
前記命令は、前記１つまたは複数のＵＥに前記データ構造を送信することを前記プロセッサによって実行可能である、
［Ｃ１４］に記載の装置。
［Ｃ１６］
前記命令は、前記データ構造のダウンリンクリソース許可に従って、前記ＵＥに前記ユーザデータを送信することを前記プロセッサによって実行可能である、
［Ｃ１４］に記載の装置。
［Ｃ１７］
送信のための前記ユーザデータを取得することを前記プロセッサによって実行可能な前記命令は、データフローを介して第２のネットワークエンティティから、または前記ネットワークエンティティに関連する送信データキューから、前記ユーザデータを取得することを前記プロセッサによって実行可能な前記命令を備える、
［Ｃ１４記載の装置。
［Ｃ１８］
前記ダウンリンクリソース許可は、前記１つまたは複数のリソース要素ブロックのリソースブロック内の、前記データ領域がある、位置のインジケーションを含む、
［Ｃ１４］に記載の装置。
［Ｃ１９］
前記データ構造は、前記ＵＥのための、前記制御領域中にある、アップリンクリソース許可をさらに備える、
［Ｃ１４］に記載の装置。
［Ｃ２０］
前記制御領域は、リソース要素の数を備え、前記リソース要素の数は、前記ＵＥに関連するアグリゲーションレベルに基づく、
［Ｃ１４］に記載の装置。
［Ｃ２１］
ワイヤレス通信システムにおけるユーザ機器（ＵＥ）通信を管理するための装置であって、
ネットワークエンティティにおいて、ダウンリンクチャネル上での１つまたは複数のＵＥへの送信のためのユーザデータを取得するための手段と、
前記１つまたは複数のＵＥおよび前記ユーザデータのうちの少なくとも１つに関連する１つまたは複数の配信制約を決定するための手段と、
前記１つまたは複数の配信制約と、送信のための前記ユーザデータとに基づいて、前記ユーザデータの送信のためにダウンリンクチャネルリソースを割り振るためのデータ構造を生成するための手段と
を備え、前記データ構造は、
ダウンリンクサブフレーム中の送信時間間隔（ＴＴＩ）を定義するシンボル内で、周波数帯域幅がそれに分割される１つまたは複数のリソース要素ブロックと、
前記１つまたは複数のリソース要素ブロックのうちの少なくとも１つのリソース要素ブロック内の制御領域およびデータ領域と、
前記ダウンリンクチャネルによってサービスされる前記１つまたは複数のＵＥのうちの１つのＵＥのための、前記制御領域内にある、ダウンリンクリソース許可と
を備える、装置。
［Ｃ２２］
前記１つまたは複数のＵＥに前記データ構造を送信するための手段をさらに備える、
［Ｃ２１］に記載の装置。
［Ｃ２３］
前記データ構造の前記ダウンリンクリソース許可に従って、前記ＵＥに前記ユーザデータを送信するための手段をさらに備える、
［Ｃ２１］に記載の装置。
［Ｃ２４］
前記取得するための手段は、データフローを介して第２のネットワークエンティティから、または前記ネットワークエンティティに関連する送信データキューから、前記ユーザデータを取得するための手段をさらに備える、
［Ｃ２１］に記載の装置。
［Ｃ２５］
前記ダウンリンクリソース許可は、前記１つまたは複数のリソース要素ブロックのリソースブロック内の、前記データ領域がある、位置のインジケーションを含む、
［Ｃ２１］に記載の装置。
［Ｃ２６］
ワイヤレス通信のためのコンピュータ実行可能コードを記憶する非一時的コンピュータ可読媒体であって、前記コンピュータ実行可能コードは、
ネットワークエンティティにおいて、ダウンリンクチャネル上での１つまたは複数のＵＥへの送信のためのユーザデータを取得することと、
前記１つまたは複数のＵＥおよび前記ユーザデータのうちの少なくとも１つに関連する１つまたは複数の配信制約を決定することと、
前記１つまたは複数の配信制約と、送信のための前記ユーザデータとに基づいて、前記ユーザデータの送信のためにダウンリンクチャネルリソースを割り振るためのデータ構造を生成することと
を実行可能な命令を備え、前記データ構造は、
ダウンリンクサブフレーム中の送信時間間隔（ＴＴＩ）を定義するシンボル内で、周波数帯域幅がそれに分割される１つまたは複数のリソース要素ブロックと、
前記１つまたは複数のリソース要素ブロックのうちの少なくとも１つのリソース要素ブロック内の制御領域およびデータ領域と、
前記ダウンリンクチャネルによってサービスされる前記１つまたは複数のＵＥのうちの１つのＵＥのための、前記制御領域内にある、ダウンリンクリソース許可と
を備える、非一時的コンピュータ可読媒体。
［Ｃ２７］
前記コードは、前記１つまたは複数のＵＥに前記データ構造を送信することを実行可能な命令をさらに備える、
［Ｃ２６］に記載のコンピュータ可読媒体。
［Ｃ２８］
前記コードは、前記データ構造の前記ダウンリンクリソース許可に従って、前記ＵＥに前記ユーザデータを送信することを実行可能な命令をさらに備える、
［Ｃ２６］に記載のコンピュータ可読媒体。
［Ｃ２９］
送信のための前記ユーザデータを取得することを実行可能な前記命令は、データフローを介して第２のネットワークエンティティから、または前記ネットワークエンティティに関連する送信データキューから、前記ユーザデータを取得することを実行可能な命令を備える、
［Ｃ２６］に記載のコンピュータ可読媒体。
［Ｃ３０］
前記ダウンリンクリソース許可は、前記１つまたは複数のリソース要素ブロックのリソースブロック内の、前記データ領域がある、位置のインジケーションを含む、
［Ｃ２６］に記載のコンピュータ可読媒体。
【図１】
0006789928.tif 000003
【図２】
0006789928.tif 000004
【図３】
0006789928.tif 000005
【図４】
0006789928.tif 000006
【図５】
0006789928.tif 000007
【図６】
0006789928.tif 000008
【図７】
0006789928.tif 000009
【図８】
0006789928.tif 000010
【図９】
0006789928.tif 000011
【図１０】
0006789928.tif 000012
【図１１】
0006789928.tif 000013
【図１２】
0006789928.tif 000014
【図１３】
0006789928.tif 000015
【図１４】
0006789928.tif 000016
【図１５】
0006789928.tif 000017
【図１６】
0006789928.tif 000018
【図１７】
0006789928.tif 000019